【手続補正書】
【提出日】平成15年9月24日(2003.9.24)
【手続補正１】
【補正対象書類名】明細書
【補正対象項目名】特許請求の範囲
【補正方法】変更
【補正の内容】
【特許請求の範囲】
【請求項１】
下記の（１）〜（２４）の界面活性剤：
（１）ポリオキシアルキレン系界面活性剤、
（２）ポリオキシアルキレンアルキルエーテル（又はエステル）系界面活性剤、
（３）ポノオキシアルキレンフェニル（又はアルキル若しくはアルキルフェニル）エーテル系界面活性剤、
（４）ポリオキシアルキレンナフチル（又はアルキルナフチル）エーテル系界面活性剤、
（５）ポリオキシアルキレンスチレン化フェニルエーテル系界面活性剤、
（６）ポリオキシアルキレンスチレン化フェニルエーテルのフェニル基にさらにポリオキシアルキレン鎖を付加した界面活性剤、
（７）ポリオキシアルキレンアルキル（又はアルケニル）アミン（又はアミド）系界面活性剤、
（８）アルキレンジアミンのアルキレンオキシド付加物系界面活性剤、
（９）リン酸エステル系界面活性剤、
（１０）脂肪酸塩又はポリオキシエチレンアルキルエーテル酢酸塩系界面活性剤、
（１１）アルキル又はアルキルベンゼンスルホン酸塩系界面活性剤、
（１２）アルキルエーテルスルホン酸塩系界面活性剤、
（１３）アルキル（又はアルコキシ）ナフタレンスルホン酸又はそれらのアルカリ金属塩系界面活性剤、
（１４）アルキルジフェニルエーテルスルホン酸又はそれらのアルカリ金属塩系界面活性剤、
（１５）アルキル硫酸エステル系界面活性剤、
（１６）Ｎ−アシルアミノ酸( 塩) 系界面活性剤、
（１７）Ｎ−アシルスルホカルボン酸塩系界面活性剤、
（１８）アルキルスルホカルボン酸エステル塩系界面活性剤、
（１９）アルキル脂肪酸グリセリン硫酸エステル塩系界面活性剤、
（２０）アンモニウム４級塩系界面活性剤、
（２１）イミダゾリニウム系界面活性剤、
（２２）アルキルエチレン（又はプロピレン）ジアミン系界面活性剤、
（２３）アルキルイミダゾリニウムベタイン系界面活性剤、及び
（２４）アルキル（又はアミド又はアミン）ベタイン系界面活性剤
から選ばれる界面活性剤の１種又は２種以上を０．００１〜５０ｇ／ｌの濃度で添加したことを特徴とする、金めっき及び（又は）金合金めっき浴としての、シアン化第一金錯体系浴、シアン化第二金錯体系浴、亜硫酸錯体浴、チオシアン酸錯体浴、メルカプトコハク酸錯体浴、さらにそれらにクエン酸塩、酒石酸塩、エチレンジアミン、ＥＤＴＡ、リン酸塩、ピロリン酸塩、スルファミン酸塩等を添加した浴及び（又は）それらの混合浴等のめっき浴よりなる電気及び（又は）無電解めっき浴。
【請求項２】
下記の（１）〜（２４）の界面活性剤：
（１）ポリオキシアルキレン系界面活性剤、
（２）ポリオキシアルキレンアルキルエーテル（又はエステル）系界面活性剤、
（３）ポノオキシアルキレンフェニル（又はアルキル若しくはアルキルフェニル）エーテル系界面活性剤、
（４）ポリオキシアルキレンナフチル（又はアルキルナフチル）エーテル系界面活性剤、
（５）ポリオキシアルキレンスチレン化フェニルエーテル系界面活性剤、
（６）ポリオキシアルキレンスチレン化フェニルエーテルのフェニル基にさらにポリオキシアルキレン鎖を付加した界面活性剤、
（７）ポリオキシアルキレンアルキル（又はアルケニル）アミン（又はアミド）系界面活性剤、
（８）アルキレンジアミンのアルキレンオキシド付加物系界面活性剤、
（９）リン酸エステル系界面活性剤、
（１０）脂肪酸塩又はポリオキシエチレンアルキルエーテル酢酸塩系界面活性剤、
（１１）アルキル又はアルキルベンゼンスルホン酸塩系界面活性剤、
（１２）アルキルエーテルスルホン酸塩系界面活性剤、
（１３）アルキル（又はアルコキシ）ナフタレンスルホン酸又はそれらのアルカリ金属塩系界面活性剤、
（１４）アルキルジフェニルエーテルスルホン酸又はそれらのアルカリ金属塩系界面活性剤、
（１５）アルキル硫酸エステル系界面活性剤、
（１６）Ｎ−アシルアミノ酸( 塩) 系界面活性剤、
（１７）Ｎ−アシルスルホカルボン酸塩系界面活性剤、
（１８）アルキルスルホカルボン酸エステル塩系界面活性剤、
（１９）アルキル脂肪酸グリセリン硫酸エステル塩系界面活性剤、
（２０）アンモニウム４級塩系界面活性剤、
（２１）イミダゾリニウム系界面活性剤、
（２２）アルキルエチレン（又はプロピレン）ジアミン系界面活性剤、
（２３）アルキルイミダゾリニウムベタイン系界面活性剤、及び
（２４）アルキル（又はアミド又はアミン）ベタイン系界面活性剤
から選ばれる界面活性剤の１種又は２種以上を０．００１〜５０ｇ／ｌの濃度で添加したことを特徴とする、パラジウム合金めっき浴としての、ジアンミン第一パラジウム塩化物浴、ジアンミンパラジウム亜硝酸塩浴、テトラアンミンパラジウムジクロライド浴、ジアンミン亜硝酸塩浴、テトラアンミン蓚酸パラジウム塩浴、ジアンミンジスルファミン酸錯体浴、さらにそれらにヨウ化カリウム、ＥＤＴＡ、エチレンジアミン、ピロリン酸等を添加した浴及び（又は）それらの混合浴等のめっき浴よりなる合金の電気及び（又は）無電解めっき浴。
【請求項３】
下記の（１）〜（２４）の界面活性剤：
（１）ポリオキシアルキレン系界面活性剤、
（２）ポリオキシアルキレンアルキルエーテル（又はエステル）系界面活性剤、
（３）ポノオキシアルキレンフェニル（又はアルキル若しくはアルキルフェニル）エーテル系界面活性剤、
（４）ポリオキシアルキレンナフチル（又はアルキルナフチル）エーテル系界面活性剤、
（５）ポリオキシアルキレンスチレン化フェニルエーテル系界面活性剤、
（６）ポリオキシアルキレンスチレン化フェニルエーテルのフェニル基にさらにポリオキシアルキレン鎖を付加した界面活性剤、
（７）ポリオキシアルキレンアルキル（又はアルケニル）アミン（又はアミド）系界面活性剤、
（８）アルキレンジアミンのアルキレンオキシド付加物系界面活性剤、
（９）リン酸エステル系界面活性剤、
（１０）脂肪酸塩又はポリオキシエチレンアルキルエーテル酢酸塩系界面活性剤、
（１１）アルキル又はアルキルベンゼンスルホン酸塩系界面活性剤、
（１２）アルキルエーテルスルホン酸塩系界面活性剤、
（１３）アルキル（又はアルコキシ）ナフタレンスルホン酸又はそれらのアルカリ金属塩系界面活性剤、
（１４）アルキルジフェニルエーテルスルホン酸又はそれらのアルカリ金属塩系界面活性剤、
（１５）アルキル硫酸エステル系界面活性剤、
（１６）Ｎ−アシルアミノ酸( 塩) 系界面活性剤、
（１７）Ｎ−アシルスルホカルボン酸塩系界面活性剤、
（１８）アルキルスルホカルボン酸エステル塩系界面活性剤、
（１９）アルキル脂肪酸グリセリン硫酸エステル塩系界面活性剤、
（２０）アンモニウム４級塩系界面活性剤、
（２１）イミダゾリニウム系界面活性剤、
（２２）アルキルエチレン（又はプロピレン）ジアミン系界面活性剤、
（２３）アルキルイミダゾリニウムベタイン系界面活性剤、及び
（２４）アルキル（又はアミド又はアミン）ベタイン系界面活性剤
から選ばれる界面活性剤の１種又は２種以上を０．００１〜５０ｇ／ｌの濃度で添加したことを特徴とする、白金めっき及び（又は）白金合金めっき浴としての、塩化物浴、ジニトロジアミン浴ジニトロ硫酸塩浴  、ヒドロキシアルカリ浴、リン酸塩及び（又は）それらの混合浴等のめっき浴よりなる電気及び（又は）無電解めっき浴。
【請求項４】
下記の（１）〜（２４）の界面活性剤：
（１）ポリオキシアルキレン系界面活性剤、
（２）ポリオキシアルキレンアルキルエーテル（又はエステル）系界面活性剤、
（３）ポノオキシアルキレンフェニル（又はアルキル若しくはアルキルフェニル）エーテル系界面活性剤、
（４）ポリオキシアルキレンナフチル（又はアルキルナフチル）エーテル系界面活性剤、
（５）ポリオキシアルキレンスチレン化フェニルエーテル系界面活性剤、
（６）ポリオキシアルキレンスチレン化フェニルエーテルのフェニル基にさらにポリオキシアルキレン鎖を付加した界面活性剤、
（７）ポリオキシアルキレンアルキル（又はアルケニル）アミン（又はアミド）系界面活性剤、
（８）アルキレンジアミンのアルキレンオキシド付加物系界面活性剤、
（９）リン酸エステル系界面活性剤、
（１０）脂肪酸塩又はポリオキシエチレンアルキルエーテル酢酸塩系界面活性剤、
（１１）アルキル又はアルキルベンゼンスルホン酸塩系界面活性剤、
（１２）アルキルエーテルスルホン酸塩系界面活性剤、
（１３）アルキル（又はアルコキシ）ナフタレンスルホン酸又はそれらのアルカリ金属塩系界面活性剤、
（１４）アルキルジフェニルエーテルスルホン酸又はそれらのアルカリ金属塩系界面活性剤、
（１５）アルキル硫酸エステル系界面活性剤、
（１６）Ｎ−アシルアミノ酸( 塩) 系界面活性剤、
（１７）Ｎ−アシルスルホカルボン酸塩系界面活性剤、
（１８）アルキルスルホカルボン酸エステル塩系界面活性剤、
（１９）アルキル脂肪酸グリセリン硫酸エステル塩系界面活性剤、
（２０）アンモニウム４級塩系界面活性剤、
（２１）イミダゾリニウム系界面活性剤、
（２２）アルキルエチレン（又はプロピレン）ジアミン系界面活性剤、
（２３）アルキルイミダゾリニウムベタイン系界面活性剤、及び
（２４）アルキル（又はアミド又はアミン）ベタイン系界面活性剤
から選ばれる界面活性剤の１種又は２種以上を０．００１〜５０ｇ／ｌの濃度で添加したことを特徴とする、ロジウムめっき及び（又は）ロジウム合金めっき浴としての、硫酸塩浴、リン酸塩浴、ホウフッ化物浴、スルファミン酸塩浴及び（又は）それらの混合浴等のめっき浴よりなる電気及び（又は）無電解めっき浴。
【請求項５】
下記の（１）〜（２４）の界面活性剤：
（１）ポリオキシアルキレン系界面活性剤、
（２）ポリオキシアルキレンアルキルエーテル（又はエステル）系界面活性剤、
（３）ポノオキシアルキレンフェニル（又はアルキル若しくはアルキルフェニル）エーテル系界面活性剤、
（４）ポリオキシアルキレンナフチル（又はアルキルナフチル）エーテル系界面活性剤、
（５）ポリオキシアルキレンスチレン化フェニルエーテル系界面活性剤、
（６）ポリオキシアルキレンスチレン化フェニルエーテルのフェニル基にさらにポリオキシアルキレン鎖を付加した界面活性剤、
（７）ポリオキシアルキレンアルキル（又はアルケニル）アミン（又はアミド）系界面活性剤、
（８）アルキレンジアミンのアルキレンオキシド付加物系界面活性剤、
（９）リン酸エステル系界面活性剤、
（１０）脂肪酸塩又はポリオキシエチレンアルキルエーテル酢酸塩系界面活性剤、
（１１）アルキル又はアルキルベンゼンスルホン酸塩系界面活性剤、
（１２）アルキルエーテルスルホン酸塩系界面活性剤、
（１３）アルキル（又はアルコキシ）ナフタレンスルホン酸又はそれらのアルカリ金属塩系界面活性剤、
（１４）アルキルジフェニルエーテルスルホン酸又はそれらのアルカリ金属塩系界面活性剤、
（１５）アルキル硫酸エステル系界面活性剤、
（１６）Ｎ−アシルアミノ酸( 塩) 系界面活性剤、
（１７）Ｎ−アシルスルホカルボン酸塩系界面活性剤、
（１８）アルキルスルホカルボン酸エステル塩系界面活性剤、
（１９）アルキル脂肪酸グリセリン硫酸エステル塩系界面活性剤、
（２０）アンモニウム４級塩系界面活性剤、
（２１）イミダゾリニウム系界面活性剤、
（２２）アルキルエチレン（又はプロピレン）ジアミン系界面活性剤、
（２３）アルキルイミダゾリニウムベタイン系界面活性剤、及び
（２４）アルキル（又はアミド又はアミン）ベタイン系界面活性剤
から選ばれる界面活性剤の１種又は２種以上を０．００１〜５０ｇ／ｌの濃度で添加したことを特徴とする、ルテニウムめっき及び（又は）ルテニウム合金めっき浴としての、塩化ニトロシルルテニウム−スルファミン酸塩浴、テトラクロロアクアルテニウム酸カリウム浴及び（又は）それらの混合浴等のめっき浴よりなる電気及び（又は）無電解めっき浴。